(57)【要約】【課題】ガスケットが取り付けられる部材に傷が付いてしまうことを抑制することができ、かつガスケットの脱落を抑制することのできるガスケットを提供する。【解決手段】２部材の各端面にそれぞれ密着し、これら２部材間の隙間を封止する金属製のガスケット本体部１１０と、前記２部材のうちの一方の部材にガスケット１００を取り付けるための取付部１２０と、を備えると共に、取付部１２０は、ガスケット本体部１１０の外周部分から伸び、前記一方の部材の外壁面に向かって押圧する金属製の押圧部１２１と、押圧部１２１における前記外壁面側に設けられ、該外壁面に接触するゴム製の保護部１２２と、を備えることを特徴とする。【選択図】図１
2019183974.tif 000002
【特許請求の範囲】
【請求項１】
２部材間の隙間を封止するガスケットにおいて、
２部材の各端面にそれぞれ密着し、これら２部材間の隙間を封止する金属製のガスケット本体部と、
前記２部材のうちの一方の部材にガスケットを取り付けるための取付部と、
を備えると共に、
前記取付部は、
前記ガスケット本体部の外周部分から伸び、前記一方の部材の外壁面に向かって押圧する金属製の押圧部と、
前記押圧部における前記外壁面側に設けられ、該外壁面に接触するゴム製の保護部と、
を備えることを特徴とするガスケット。
【請求項２】
前記取付部は、前記ガスケット本体部の外周部分の複数個所に設けられていることを特徴とする請求項１に記載のガスケット。
【発明の詳細な説明】
【技術分野】
【０００１】
本発明は、２部材間の隙間を封止するガスケットに関する。
【背景技術】
【０００２】
２部材の各端面にそれぞれ密着し、これら２部材間の隙間を封止する金属製のガスケットが知られている。このようなガスケットにおいては、２部材同士が固定されることによって、これら２部材の間にガスケットが固定される。しかしながら、ガスケットを取り付ける工程によっては、２部材のちの一方の部材の端面が下方を向いた状態で、当該一方の部材にガスケットを取り付けなければならないことがある。このような場合には、一方の部材からガスケットが脱落しないような機構を設ける必要がある。例えば、ガスケットの外周部分に複数の爪部を設けて、これら複数の爪部を、一方の部材の外壁面に押圧させることで、ガスケットを固定させている。
【０００３】
しかしながら、このような固定方法を採用した場合には、一方の部材の外壁面に傷が付いてしまったり、摩擦抵抗が低く、ガスケットが一方の部材から脱落してしまったりすることが懸念される。
【先行技術文献】
【特許文献】
【０００４】
【特許文献１】実開平４−６８２４９号公報
【発明の概要】
【発明が解決しようとする課題】
【０００５】
本発明の目的は、ガスケットが取り付けられる部材に傷が付いてしまうことを抑制することができ、かつガスケットの脱落を抑制することのできるガスケットを提供することにある。
【課題を解決するための手段】
【０００６】
本発明は、上記課題を解決するために以下の手段を採用した。
【０００７】
すなわち、本発明のガスケットは、
２部材間の隙間を封止するガスケットにおいて、
２部材の各端面にそれぞれ密着し、これら２部材間の隙間を封止する金属製のガスケット本体部と、
前記２部材のうちの一方の部材にガスケットを取り付けるための取付部と、
を備えると共に、
前記取付部は、
前記ガスケット本体部の外周部分から伸び、前記一方の部材の外壁面に向かって押圧する金属製の押圧部と、
前記押圧部における前記外壁面側に設けられ、該外壁面に接触するゴム製の保護部と、
を備えることを特徴とする。
【０００８】
本発明によれば、ゴム製の保護部が一方の部材の外壁面に接触するため、当該外壁面に傷が付いてしまうことを抑制することができる。また、金属に比べてゴムの方が摩擦力が高く、ガスケットが一方の部材から脱落してしまうことを抑制することができる。
【０００９】
前記取付部は、前記ガスケット本体部の外周部分の複数個所に設けられているとよい。
【発明の効果】
【００１０】
以上説明したように、本発明によれば、ガスケットが取り付けられる部材に傷が付いてしまうことを抑制することができ、かつガスケットの脱落を抑制することができる。
【図面の簡単な説明】
【００１１】
【図１】図１は本発明の実施例に係るガスケットの平面図である。
【図２】図２は本発明の実施例に係るガスケットの側面図である。
【図３】図３は本発明の実施例に係るガスケットを一方の部材に取り付けた状態を示す模式的断面図である。
【図４】図４は本発明の実施例に係るガスケットを備える密封構造の模式的断面図である。
【図５】図５は本発明の変形例に係るガスケットの側面図である。
【発明を実施するための形態】
【００１２】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１３】
（実施例）
図１〜図４を参照して、本発明の実施例に係るガスケットについて説明する。図１は本発明の実施例に係るガスケットの平面図である。図２は本発明の実施例に係るガスケットの側面図であり、図１中、Ｖ方向にガスケットを見た図である。図３は本発明の実施例に係るガスケットを一方の部材に取り付けた状態を示す模式的断面図であり、図４は本発明の実施例に係るガスケットを備える密封構造の模式的断面図である。なお、図３及び図４中のガスケットは、図１中のＡＡ断面図に相当する。
【００１４】
本実施例に係るガスケット１００は、２部材間の隙間を封止する役割を担っている。以下、説明の便宜上、２部材のうちの一方の部材を第１部材２００と称し、他方の部材を第２部材３００と称する。なお、本実施例においては、第１部材２００及び第２部材３００は、いずれも開口部を有する内部中空の直方体形状の部材の場合を例にして説明する（図４参照）。
【００１５】
ガスケット１００は、第１部材２００の端面と第２部材３００の端面にそれぞれ密着し、これら２部材間の隙間を封止する金属製のガスケット本体部１１０と、第１部材２００にガスケット１００を取り付けるための取付部１２０とを備えている。ガスケット本体部１１０は、中央に開口部１１１を有する金属板により構成されている。また、ガスケット本体部１１０には、第１部材２００と第２部材３００とを固定するためのボルトなどの固定具４００の軸部（不図示）が挿通される孔１１２が複数個所に設けられている。
【００１６】
そして、取付部１２０は、ガスケット本体部１１０の外周部分から伸びる金属製の押圧部１２１と、押圧部１２１の表面に設けられるゴム製の保護部１２２とを備えている。なお、ガスケット本体部１１０を構成する金属板の一部に折り曲げ加工が施されることにより押圧部１２１が形成される。押圧部１２１は、第１部材２００の外壁面に向かって押圧する役割を担っている。また、保護部１２２は、押圧部１２１における第１部材２００の外壁面側に設けられ、この外壁面に接触するように設けられている。なお、保護部１２２は、押圧部１２１の表面にゴム材料が塗布されることにより設けられる。本実施例においては、取付部１２０は、ガスケット本体部１１０の外周部分の複数個所（具体的には、４か所）に設けられている。
【００１７】
以上のように構成されるガスケット１００は、第１部材２００に取り付けられる。より具体的には、複数の取付部１２０が第１部材２００側を向いた状態で、ガスケット１００を第１部材２００に嵌めることで、ガスケット１００を第１部材２００に取り付けることができる。このとき、保護部１２２は、第１部材２００の外壁面に対して、金属製の押圧部１２１により押圧された状態となる。これにより、複数の取付部１２０によって、第１部材２００の外壁面を挟持させた状態となるため、ガスケット１００が第１部材２００に取り付けられる。
【００１８】
そして、ガスケット１００が第１部材２００に取り付けられた状態で、固定具４００によって、第２部材３００が第１部材２００に固定される。これにより、ガスケット本体部１１０が、第１部材２００の端面と第２部材３００の端面にそれぞれ密着することで、第１部材２００と第２部材３００との間の隙間が封止された状態となる。
【００１９】
＜本実施例に係るガスケットの優れた点＞
本実施例に係るガスケット１００によれば、第１部材２００にガスケット１００を取り付ける場合に、ゴム製の保護部１２２が第１部材２００の外壁面に接触するため、当該外壁面に傷が付いてしまうことを抑制することができる。また、金属に比べてゴムの方が摩擦力が高く、ガスケット１００が第１部材２００から脱落してしまうことを抑制することができる。
【００２０】
（その他）
上記の実施例においては、保護部１２２が、押圧部１２１における第１部材２００の外壁面側にのみ設けられる場合の構成を示した。しかしながら、例えば、図５に示すように、押圧部１２１をゴム部１２３で覆うようにして、押圧部１２１における第１部材２００の外壁面側に保護部１２３ａが形成される構成を採用することもできる。つまり、ゴムにより構成される部分（ゴム部１２３）は、ガスケット本体部１１０に影響を与えない範囲であれば、第１部材２００の外壁面に接触し得ない位置に設けても構わない。なお、図５は本発明の変形例に係るガスケットの側面図であり、一部を透視して示している。
【００２１】
上記実施例においては、取付部１２０が複数設けられる場合の構成を示した。しかしながら、本発明においては、ガスケット本体部の外周部分全体から筒状に伸びるように構成される取付部を採用することもできる。また、本発明に係るガスケットによって封止するための２部材は、上記実施例で示した形状の部材に限定されることがないことは言うまでもない。
【符号の説明】
【００２２】
１００  ガスケット
１１０  ガスケット本体部
１１１  開口部
１１２  孔
１２０  取付部
１２１  押圧部
１２２  保護部
２００  第１部材
３００  第２部材
４００  固定具
【図１】
2019183974.tif 000003
【図２】
2019183974.tif 000004
【図３】
2019183974.tif 000005
【図４】
2019183974.tif 000006
【図５】
2019183974.tif 000007